(57)【特許請求の範囲】
【請求項１】
交流電源（Ｆ）と組み合わせて動作し、少なくとも１つの運転コイル（Ｂ１）および始動コイル（Ｂ２）を有する、回転子および固定子を含むタイプの単相誘導電動機を始動するための電子回路であって、トリガ電子スイッチと、前記トリガ電子スイッチのトリガ回路（ＴＲ）と、前記トリガ電子スイッチのトリガパルスを制御するためのブロッキング回路（ＢＬ）とを具備し、前記トリガ回路（ＴＲ）は、第１のコンデンサ（Ｃ１）を備え、該第１のコンデンサ（Ｃ１）は、端子の一方が前記トライアック（Ｓ）の第２のアノード（Ａ２）に接続され、別の端子が第１の抵抗器（Ｒ１）の端子に接続され、前記第１の抵抗器（Ｒ１）の他方の端子は、第１のツェナーダイオード（Ｚ１）のアノードに接続され、前記第１のツェナーダイオード（Ｚ１）のカソードは、第２のツェナーダイオード（Ｚ２）のカソードに接続され、前記第２のツェナーダイオード（Ｚ２）のアノードは、前記トライアック（Ｓ）の前記トリガ端子（Ｇ）に接続され、前記ブロッキング回路（ＢＬ）は、完全な整流器ブリッジにより形成され、該整流器ブリッジは、前記第１のツェナーダイオード（Ｚ１）のアノードと第１のコンデンサ（Ｃ１）を接続する共通点に接続された第１の入力端子と、前記トライアック（Ｓ）の第１のアノード（Ａ１）に接続された第２の入力端子と、第２の抵抗器（Ｒ２）の端子、第３のコンデンサ（Ｃ３）の端子、第１のトランジスタ（Ｑ１）のエミッタ、第５のコンデンサ（Ｃ５）の端子、および第３の整流器ダイオード（Ｄ３）のアノードに接続された正出力端子と、第２の抵抗器（Ｒ２）の他方の端子、第１の整流器ダイオード（Ｄ１）のアノード、第４のコンデンサ（Ｃ４）の端子、第３の抵抗器（Ｒ３）の端子、および第２のトランジスタ（Ｑ２）のエミッタに接続された負出力端子とを有し、前記第１の整流器ダイオード（Ｄ１）のカソードは、前記第３のコンデンサ（Ｃ３）の他方の端子および第２の整流器ダイオード（Ｄ２）のアノードに接続され、前記第２の整流器ダイオード（Ｄ２）のカソードは、前記第４のコンデンサ（Ｃ４）の他方の端子、前記第３の抵抗器（Ｒ３）の他方の端子、第４の抵抗器（Ｒ４）の端子、および前記第１のトランジスタ（Ｑ１）のコレクタに接続され、前記第４の抵抗器（Ｒ４）の他方の端子は、前記第２のトランジスタ（Ｑ２）のベースに接続され、前記第１のトランジスタ（Ｑ１）のベースは、前記第５のコンデンサ（Ｃ５）の他方の端子および第５の抵抗器（Ｒ５）の端子に接続され、前記第５の抵抗器（Ｒ５）の他方の端子は、前記第２のトランジスタ（Ｑ２）のコレクタおよび第４の整流器ダイオード（Ｄ４）のカソードに接続され、前記第４の整流器ダイオード（Ｄ４）のアノードは、前記第３の整流器ダイオード（Ｄ３）のカソードに接続され、前記ブロッキング回路（ＢＬ）は、前記回転子が回転することにより前記電動機（Ｍ）の前記コイルに誘導された電圧がある間、遮断状態を持続して、前記誘導電圧が実質的に減少した後、ある一定時間、前記遮断状態を維持することを特徴とする電子回路。
【請求項２】
前記ブロッキング回路（ＢＬ）は、前記ブロッキング回路（ＢＬ）のタイマにより、前記トリガ電子スイッチのトリガパルスを遮断する状態に維持される電子スイッチ素子を含むことを特徴とする、請求項１に記載の電子回路。
【請求項３】
前記電子スイッチ素子は、電圧飽和により遮断状態に維持されることを特徴とする、請求項２に記載の電子回路。
【請求項４】
前記電子スイッチ素子は、トランジスタ（Ｑ１、Ｑ２）であることを特徴とする、請求項３に記載の電子回路。
【請求項５】
前記タイマは、充電素子であることを特徴とする、請求項４に記載の電子回路。
【請求項６】
前記タイマは、前記トリガ回路（ＴＲ）により給電されることを特徴とする、請求項５に記載の電子回路。
【請求項７】
トリガ電子スイッチは、トライアック（Ｓ）であり、該トライアック（Ｓ）は、前記交流電源の端子に接続された第１のアノード（Ａ１）と、前記電動機（Ｍ）の前記始動コイル（Ｂ２）および前記始動コイル（Ｂ２）と直列接続された運転コンデンサ（Ｃｐ）の端子に接続された第２のアノード（Ａ２）と、前記トリガ回路（ＴＲ）に接続されたトリガ端子（Ｇ）とを有することを特徴とする、請求項６に記載の電子回路。
【請求項８】
トライアック（Ｓ）の前記トリガ端子（Ｇ）は、トリガ回路（ＴＲ）の第２のコンデンサ（Ｃ２）の第１の端子に接続され、前記第２のコンデンサ（Ｃ２）の第２の端子は、前記トライアック（Ｓ）の第１のアノード（Ａ１）に接続されることを特徴とする、請求項７に記載の電子回路。
【請求項９】
前記第１および第２のツェナーダイオード（Ｚ１、Ｚ２）は、前記ブロッキング回路（ＢＬ）が遮断状態にあるとき、前記ツェナーダイオード（Ｚ１、Ｚ２）での電流伝導を回避できる高さのツェナー電圧を有することを特徴とする、請求項８に記載の電子回路。
【請求項１０】
前記第１および第２のツェナーダイオード（Ｚ１、Ｚ２）のツェナー電圧は、５ボルトより高いことを特徴とする、請求項９に記載の電子回路。
【請求項１１】
前記第１のトランジスタ（Ｑ１）はＰＮＰ型であり、前記第２のトランジスタ（Ｑ２）はＮＰＮ型であることを特徴とする、請求項１に記載の電子回路。
【請求項１２】
前記第４のコンデンサ（Ｃ４）がブロッキング回路（ＢＬ）のタイマを限定することを特徴とする、請求項１１に記載の電子回路。
【発明の詳細な説明】
【０００１】
（技術分野）
本発明は、単相誘導電動機を始動するための電子回路に関し、より詳細には、始動電子スイッチ付きの電子回路を有する誘導電動機を始動するための電子回路に関する。
【０００２】
（背景技術）
単相誘導電動機は、簡易性、強度、および高性能といった理由から広く使用されている。これらの電動機は、冷蔵庫、冷凍庫、冷暖房装置、密閉式圧縮機、洗濯機、ポンプ、扇風機などの家庭電気器具だけでなく、いくつかの工業的な用途でも使用されている。
【０００３】
通常、これらの単相誘導電動機には、ケージタイプの回転子と、２つの巻線、すなわち、１つが運転コイルであり、もう１つが始動コイルである巻線を有するコイル固定子とが設けられる。
【０００４】
通常動作中、運転コイルに交流電圧が供給され、動作開始時に始動コイルが一時的に給電されると、固定子のエアギャップに回転磁界が発生し、回転子を加速して始動を促進するのに必要な条件が整う。
【０００５】
この回転磁界は、運転コイルに流れる電流に対して、好ましくは、９０度に近い角度、時間的に変位させた電流を始動コイルに供給することにより得られることができる。
【０００６】
両方のコイルに流れる電流間のこのような時間的変位は、コイルの構造上の特徴により、またはコイルの一つと直列に、典型的には、始動コイルと直列に外部インピーダンスを取り付けることにより達成される。典型的に、電動機の始動動作中、始動コイルに流れる電流値は高く、電動機の加速を促進するのにかかる時間が経過した後、この電流を中断するためにスイッチを使用する必要がある。
【０００７】
高効率が要求される電動機において、上述した始動コイルは、始動期間の完了時に、完全に接続が絶たれるわけではない。この始動コイルに、コンデンサ、すなわち、運転コンデンサが直列に保持されて、電動機の最大トルクおよびその効率を上げるのに十分な電流を与える。
【０００８】
電動機の通常動作中、永久インピーダンスを始動コイルと直列に設けた、このような構成の電動機の場合、米国特許第５，０５１，６８１号に記載されているように、ＰＴＣまたは電子タイプのいくつかの始動デバイスが知られている。
【０００９】
ブラジル特許第ＰＩ２０１２１０号に記載されているように、始動装置としてＰＴＣを用いる従来技術の始動回路には、エネルギー消費量が高いなどのいくつかの欠点がある。
【００１０】
米国特許第５，０５１，６８１号に記載されているように、一般に、トライアックを採用した電子始動装置を有する始動回路には、ＰＴＣを用いる回路のようなエネルギー消費量の問題はないが、電圧変動から影響を受けやすく、電圧過渡現象が発生するか、電動機への電力供給が切断される所定の状態になると、その時点でのその電動機の電力供給状態にかかわらず、回路に電動機を再始動させて、始動回路に電流の過負荷が発生し、過熱が原因で所定の構成部品に焼けが生じるという欠点がある。
【００１１】
（発明の開示）
本発明の一般的な目的は、電動機のエネルギー消費量の条件を変更することなく、電動機の電源により生じる電力供給の過渡現象、外乱、および妨害に起因する過度の電圧過負荷が原因となって電動機の構成部品に与えるダメージを回避する、構造が簡単で安価な単相誘導電動機を始動するための電子回路を提供することである。
【００１２】
本発明の別の目的は、電動機の始動コイルと直列に設置された運転（または永久）コンデンサ、または別のインピーダンスとともに使用可能な、上述したような始動回路を提供することである。
【００１３】
本発明のさらなる目的は、２つの接続端子を使用可能な構造を備えた上述したような回路を提供することである。
【００１４】
これらの目的を達成するために、交流電源と組み合わせて動作し、少なくとも１つの運転コイルおよび始動コイルを有する、回転子および固定子を含むタイプの単相誘導電動機を始動するための電子回路であって、トリガ電子スイッチと、前記トリガ電子スイッチのトリガ回路と、トリガ電子スイッチのトリガパルスを制御するためのブロッキング回路とを具備し、前記ブロッキング回路は、回転子が回転することにより電動機のコイルに誘導された電圧がある間、遮断状態を持続して、前記誘導電圧が実質的に減少した後、ある一定時間、前記遮断状態を維持する電子回路が提供される。
【００１５】
以下、添付の図面を参照しながら、本発明について記載する。
【００１６】
（発明の最良の実施形態）
本発明は、図１および図２に図示されているように、交流電源Ｆと組み合わせて動作し、少なくとも１つの運転コイルＢ１および始動コイルＢ２を備え、図示されていない回転子および固定子を含むタイプの単相誘導電動機、すなわち電動機Ｍを始動するための電子回路について記載する。
【００１７】
図面によれば、本発明は、トリガ電子スイッチと、このトリガ電子スイッチのトリガ回路ＴＲと、以下に記載されるようなトリガ電子スイッチのトリガパルスを制御するためのブロッキング回路ＢＬとを備える始動回路ＤＰに適用される。
【００１８】
本発明によれば、ブロッキング回路ＢＬは、以下に記載されるように、トリガ電子スイッチのトリガパルスの電力遮断状態を与え、該電力遮断状態は、回転子が回転することにより、電動機Ｍの巻線に誘導電圧が存在する間持続され、前記遮断状態は、前記誘導電圧が実質的に減少した後、ある一定時間維持される。
【００１９】
本発明によれば、ブロッキング回路ＢＬは、以下に記載される前記ブロッキング回路ＢＬのタイマにより、トリガ電子スイッチのトリガパルスを遮断する状態に維持される電子スイッチ素子を含む。この解決方法において、電子スイッチ素子は、その電圧飽和により遮断状態に維持される。
【００２０】
図示した構造において、トリガ電子スイッチは、例えば、トライアックＳであり、タイマは充電素子であり、タイマは、始動回路ＤＰ（図１）により給電され、図２に示されているように、電動機Ｍのコイルを接続する共通点ＣＯに接続されてもよい。
【００２１】
図１および図２に示されている構造において、電源Ｆは、電動機Ｍの運転コイルＢ１と、運転コイルＢ１と始動コイルＢ２との両方の共通点ＣＯにそれぞれ接続された端子１および２を有する。
【００２２】
始動コイルＢ２は、始動回路ＤＰの端子Ａにも接続され、電源Ｆの端子２に前記始動回路ＤＰの端子Ｂが接続され、始動コイルＢ２と電源Ｆの端子２との間に運転コンデンサＣｐが接続される。
【００２３】
始動回路ＤＰの端子ＡおよびＢの間にトライアックＳが接続されることにより、始動回路ＤＰの端子Ｂを介して、電源Ｆの端子２にトライアックＳの第１のアノードＡ１が接続され、前記始動回路ＤＰの端子Ａを介して、電動機Ｍの始動コイルＢ２と運転コンデンサＣｐとに第２のアノードＡ２が接続され、トリガ回路ＴＲにトリガ端子Ｇが接続される。
【００２４】
電源Ｆにより電動機Ｍが通電された直後、トライアックＳの端子Ａ２およびＡ１の間の電圧が上昇し始める。
【００２５】
トライアックＳの端子Ａ１およびＡ２間の電圧がこのように上昇することで、トリガ回路ＴＲに電流が流れる。
【００２６】
図１および図２によれば、トリガ回路ＴＲは、第１のコンデンサＣ１を備え、第１のコンデンサＣ１は、端子の一方がトライアックＳの第２のアノードＡ２に接続され、別の端子が第１の抵抗器Ｒ１の端子に接続された第１のコンデンサＣ１を備える。前記第１の抵抗器Ｒ１の他方の端子は、第１のツェナーダイオードＺ１のアノードに接続される。第１のツェナーダイオードＺ１のカソードが、第２のツェナーダイオードＺ２のカソードに接続される。前記第２のツェナーダイオードＺ２のアノードは、トライアックＳのトリガ端子Ｇに接続される。トライアックＳのトリガ端子Ｇは、トリガ回路ＴＲの第２のコンデンサＣ２の第１の端子に接続され、第２のコンデンサＣ２の第２の端子は、トライアックＳの第１のアノードＡ１に接続される。
【００２７】
第１の抵抗器Ｒ１と第１のコンデンサＣ１を流れる電流は、第１のコンデンサＣ１の値により本質的に制限される。
【００２８】
第２のコンデンサＣ２は、トライアックＳのトリガ端子Ｇと端子Ａ１との間に設けられ、高周波数電流成分に対して低インピーダンスになり、トライアックの偶発的なトリガを回避する。
【００２９】
トライアックＳのトリガ電流は、抵抗器Ｒ１と第１のコンデンサＣ１を流れ、第１のツェナーダイオードＺ１および第２のツェナーダイオードＺ２と、トライアックＳのトリガ端子Ｇを流れる経路を辿って、トライアックＳを点弧して、端子Ａ１およびＡ２の間に電流を伝導させる。
【００３０】
本発明によれば、第１のツェナーダイオードＺ１および第２のツェナーダイオードＺ２は、ブロッキング回路ＢＬが遮断状態にあるとき、前記ツェナーダイオードに電流が伝導しない程度に高いツェナー電圧を有する。この解決方法において、第１および第２のツェナーダイオードのツェナー電圧は、５ボルト（Ｖ）より高いものであってよい。
【００３１】
トライアックＳの伝導性により、電源Ｆの端子２から始動回路ＤＰの端子Ａへ電流が流れて、電動機Ｍの始動コイルＢ２を通電させる。
【００３２】
電源Ｆにより供給される交流電圧の各半周期の開始時に、トライアックＳの端子Ａ１とＡ２との間の電圧変動が開始し、トリガ回路ＴＲを介してトライアックＳが点弧して、トライアックＳが交流電流を伝導し、始動回路ＤＰの端子ＡおよびＢの間の伝導状態を特徴付ける。
【００３３】
図１および図２によれば、ブロッキング回路ＢＬは、完全な整流器ブリッジＢ１からなり、整流器ブリッジＢ１は、第１のツェナーダイオードＺ１のアノードと第１のコンデンサＣ１とを接続する共通点に接続された第１の入力端子と、トライアックＳの第１のアノードＡ１に接続された第２の入力端子と、第２の抵抗器Ｒ２の端子、第３のコンデンサＣ３の端子、例えば、ＰＮＰ型の第１のトランジスタＱ１のエミッタ、第５のコンデンサＣ５の端子、および第３の整流器ダイオードＤ３のアノードに接続された正出力端子と、第２の抵抗器Ｒ２の他方の端子、第１の整流器ダイオードＤ１のアノード、第４のコンデンサＣ４の端子、第３の抵抗器Ｒ３の端子、および例えば、ＮＰＮ型の第２のトランジスタＱ２のエミッタに接続された負出力端子とを有する。
【００３４】
第１の整流器ダイオードＤ１のカソードは、第３のコンデンサＣ３の他方の端子および第２の整流器ダイオードＤ２のアノードに接続される。前記第２の整流器ダイオードＤ２のカソードは、第４のコンデンサＣ４の他方の端子、第３の抵抗器Ｒ３の他方の端子、第４の抵抗器の端子、および第１のトランジスタＱ１のコレクタに接続される。第４の抵抗器Ｒ４の他方の端子は、第２のトランジスタＱ２のベースに接続される。第１のトランジスタＱ１のベースは、第５のコンデンサＣ５の他方の端子および第５の抵抗器Ｒ５の端子に接続される。前記第５の抵抗器Ｒ５の他方の端子は、第２のトランジスタＱ２のコレクタおよび第４の整流器ダイオードＤ４のカソードに接続される。前記第４の整流器ダイオードＤ４のアノードは、第３の整流器ダイオードＤ３のカソードに接続される。
【００３５】
この解決方法において、トランジスタは、ブロッキング回路ＢＬの電子スイッチ素子を限定する。第１のトランジスタＱ１および第２のトランジスタＱ２が伝導状態にないとき、点Ｖ１の最大電圧は、第１のツェナーダイオードＺ１および第２のツェナーダイオードＺ２の電圧と、典型的に、約１．５ＶであるトライアックＳのトリガ端子Ｇの伝導電圧とを加算したものに本質的に等しいものである。第１のツェナーダイオードＺ１および第２のツェナーダイオードＺ２の電圧は、一般に、約５Ｖになるように選択され、第２のツェナーダイオードＺ２との交点で第１の抵抗器Ｒ１と整流器ブリッジＢ１との間に規定された点Ｖ１で観察される最大電圧が約６．５Ｖになる。
【００３６】
本発明の好適な構造において、図１に示されているように、波整流器ブリッジＢ１は、ブロッキング回路ＢＬの点Ｔ１に接続された正出力端子と、前記ブロッキング回路ＢＬの点Ｔ２に接続された負出力端子を有し、前記点Ｔ１およびＴ２の間に抵抗器Ｒ２が接続され、整流器ブリッジＢ１から電流が流れないとき、輪状になるように前記点間の電圧を確保する。電源Ｆにより通電された直後、電動機Ｍの初期運転期間ＴＸ中、点Ｖ１およびＡ１の間の電圧は、図３に示されているように、パルス状波の形のものであり、パルスの振幅は、第１のツェナーダイオードＺ１および第２のツェナーダイオードＺ２のツェナー電圧の値と、トライアックＳのトリガ端子Ｇの伝導電圧とを加算することにより本質的に限定される。
【００３７】
電動機Ｍの同じ初期運転期間ＴＸ中、ブロッキング回路ＢＬの点Ｔ１およびＴ２間の電圧は、図３に示されているように、正の極性をもったパルス状のものである。
【００３８】
図２に示された実施形態において、ブロッキング回路ＢＬの第３のコンデンサＣ３は、抵抗器Ｒ６を介して始動コイルＢ２に接続される端子を有し、第２の整流器ダイオードＤ２を介して、ブロッキング回路ＢＬのタイマである第４のコンデンサＣ４までの電流の経路を形成する。
【００３９】
初期期間ＴＸ中、電流は、抵抗器Ｒ６および第３のコンデンサＣ３を流れることで、図３に示されているように、第４のコンデンサＣ４の電圧が次第に増分する。
【００４０】
第２の整流器ダイオードＤ２により、電源Ｆの端子１の電圧が増大している時間間隔の間、第４のコンデンサＣ４の電圧を増分するためだけに電流が流れ、第１の整流器ダイオードＤ１により、電源Ｆの点１の電圧が減少するとき、第３のコンデンサＣ３に電流が流れて、前記第３のコンデンサＣ３の初期電圧状態を再度確立する。
【００４１】
第４のコンデンサＣ４の電圧は、わずかなステップずつ増大され、前記ステップの振幅は、容量Ｃ３およびＣ４間の比率と、電源Ｆの端子１に誘導された電圧とにより本質的に限定される。
【００４２】
図１の実施形態において、初期期間ＴＸ中、点Ｔ１およびＴ２間の電圧パルスにより、第３のコンデンサＣ３に電流が流れて、図３に示されているように、第４のコンデンサＣ４の電圧が次第に増分する。第２のダイオードＤ２により、パルス電圧が増大している時間間隔の間、第４のコンデンサＣ４の電圧を増大するためだけに電流が流れ、第１の整流器ダイオードＤ１により、パルス電圧が減少するとき、第３のコンデンサＣ３に電流が流れて、前記第３のコンデンサＣ３の電圧の初期状態を再度確立する。第４のコンデンサＣ４の電圧は、わずかなステップずつ増大され、前記ステップの振幅は、第３のコンデンサＣ３および第４のコンデンサＣ４の容量間の比率と、点Ｔ１の電圧特徴とにより本質的に限定される。
【００４３】
図１および図２によれば、第４のコンデンサＣ４は、システムがオフにされ、電動機が静止状態にあるとき、第４のコンデンサＣ４の放電を引き起こす第３の抵抗器Ｒ３と並列に接続される。第４のコンデンサＣ４の放電の時定数は、電源Ｆからの交流電圧の全サイクルより大きくなければならない。
【００４４】
図３に示されているように、第４のコンデンサＣ４の電圧は、第２のトランジスタＱ２のベースエミッタ接合に極性を付与できる値に達するまで増大し、前記値は約０．６Ｖであり、本質的に第１のトランジスタＱ１のベースおよび第４のダイオードＤ４から、前記第２のトランジスタＱ２のコレクタに電流が流れる。このように、第１のトランジスタＱ１のベースに電流が流れることで、前記第１のトランジスタＱ１のコレクタエミッタ接合により電流が流れて、第４のコンデンサＣ４の電圧をさらに増大させる。このプロセスは、アバランシェ形で起こり、図３に示す期間ＴＸの終りを限定する。これにより、第１のトランジスタＱ１および第２のトランジスタＱ２が飽和して、第２のトランジスタＱ２のコレクタが、点Ｔ２に対して０．２Ｖに近い電圧値を有する最終均衡状態を確立して、第２のトランジスタＱ２のコレクタに存在する０．２Ｖ値が付加された、第３の整流器ダイオードＤ３および第４の整流器ダイオードＤ４の電圧降下値に、点Ｔ１の電圧が本質的に制限されて、典型的に、約１．４Ｖになる。
【００４５】
この最終均衡状態において、時間期間ＴＸが経過した後、第４のコンデンサＣ４の電圧は、点Ｔ１の最大電圧から第１のトランジスタＱ１のエミッタコレクタ接合の電圧降下を引いたものに本質的に等しく、典型的に、１．２Ｖになり、第２のトランジスタＱ２のベースエミッタ接合に極性を与えるのに必要な最小値より大幅に大きい値であり、その飽和が保証される。
【００４６】
第２のトランジスタＱ２のベースでの電流値は、第４のコンデンサＣ４により制限され、第１のトランジスタＱ１のベースでの電流は、第５の抵抗器Ｒ５により制限される。点Ｔ１と第１のトランジスタＱ１のベースとの間に設置された第５のコンデンサＣ５が回路に設けられて、前記トランジスタのベースでの突然の電圧変動の発生を回避して、外部電気ノイズからの高周波数ノイズが、不適切な時に前記トランジスタの極性を生じさせないようにする。
【００４７】
この時間期間ＴＸが経過した後、上述した最終均衡状態は、点Ｔ１の電圧を、典型的に、１．２Ｖに近い値に制限し、点Ｖ１およびＡ１間の電圧を、典型的に、２．４Ｖに近いピーク値に制限して、典型的に、約５Ｖのツェナー電圧を表す第１のダイオードＺ１および第２のダイオードＺ２に電流が流れるのを回避することにより、トライアックＳの端子Ｇにトリガ電流が流れるのを防止し、前記トライアックＳの端子Ａ１およびＡ２に電流が流れるのを回避し、電動機の始動スイッチの遮断状態を特徴付け、すなわち、電動機Ｍの電流管理動作期間を特徴付ける。
【００４８】
この状態において、期間ＴＸが経過した後、第１のトランジスタＱ１および第２のトランジスタＱ２の飽和は、点Ｔ１およびＴ２間で観察される電圧振幅により、運転状態そのものにより確保され、この電圧振幅は、第１のトランジスタＱ１および第２のトランジスタＱ２のアバランシェ飽和プロセスを始動するのに要求される最小値よりも大幅に大きい電圧レベルで充電された、第４のコンデンサＣ４を維持できる高さである。したがって、始動装置ＴＲの端子ＡおよびＢの間に電圧がある間、ブロッキング回路ＢＬは、第１のトランジスタＱ１および第２のトランジスタＱ２の飽和により持続された遮断状態を有する。電源Ｆがオフに切り換えられても、回転子が回転することにより電動機ＭのコイルＢ１、Ｂ２に誘導された電圧により、このように、点ＡおよびＢ間の電圧が存在し、端子Ｔ１およびＴ２間に電圧が存在しない状態でも、第４のコンデンサＣ４に存在する電圧が、第２のコンデンサＣ２の接合の飽和レベルより大きいということにより、ある一定時間、トランジスタＱ１およびＱ２の前記飽和状態は持続する。端子Ｔ１およびＴ２の間に電圧がない状態で、このトランジスタＱ１およびＱ２の追加の伝導時間は、時定数およびＲ４により限定される。電源Ｆにより供給される電圧がない場合でも、点ＡおよびＢ間の電圧がすでに非常に低いレベルにあるとき、電動機の動きが実質的にまたは完全に低減した後の追加の時間、伝導状態を維持するブロッキング回路ＢＬのこのような特徴により、始動装置ＤＰが、供給電源における電圧の切断に影響を受けなくなり、運転コンデンサＣｐが高電圧を有するとき、トライアックＳを作動する危険性がない。
【図面の簡単な説明】
【図１】  本発明の第１の実施形態の完全な電子回路を示す略図である。
【図２】  本発明の電子回路の第２の実施形態を示す略図である。
【図３】  本発明の電子回路の異なる点における時間の経過とともに観察された電気応答を示す略図である。
【図１】
0004756211.tif 000002
【図２】
0004756211.tif 000003
【図３】
0004756211.tif 000004